(57)【要約】【課題】撤去対象である接続部材か否かを容易に判定できる方法を提供する。【解決手段】本方法は、第１の確認工程、第２の確認工程および判定工程を含む。第１の確認工程は、接続部材の室外機が接続されていた側において接続部材から選択された一対の第１接続部材ペアを第１の導体で接続し、接続部材の室内機が接続されていた側において接続部材から選択された一対の第２接続部材ペアを第２の導体で接続した状態で、第２接続部材ペア間に電流が流れるか否かを確認する。第２の確認工程は、第１接続部材ペアのうち少なくとも一方から第１の導体を外し、第２接続部材ペアを第２の導体で接続した状態で、第２接続部材ペア間に電流が流れるか否かを確認する。判定工程は、第１の確認工程において電流が流れ、かつ、第２の確認工程において電流が流れない場合に、第２接続部材ペアに含まれる接続部材を撤去対象であると判定する。【選択図】図３Ｂ
2018159502.tif 000002
【特許請求の範囲】
【請求項１】
室外機と室内機との間が金属で形成された複数経路の接続部材によって接続される空調システムの撤去作業において、前記室外機と前記室内機とから切り離された前記接続部材が撤去対象であるか否かを判定する方法であって、
前記接続部材の前記室外機が接続されていた側において前記接続部材から選択された一対の第１接続部材ペアを第１の導体で接続し、前記接続部材の前記室内機が接続されていた側において前記接続部材から選択された一対の第２接続部材ペアを第２の導体で接続した状態で、前記第２接続部材ペア間に電流が流れるか否かを確認する第１の確認工程と、
前記第１接続部材ペアのうち少なくとも一方から前記第１の導体を外し、前記第２接続部材ペアを前記第２の導体で接続した状態で、前記第２接続部材ペア間に電流が流れるか否かを確認する第２の確認工程と、
前記第１の確認工程において電流が流れ、かつ、前記第２の確認工程において電流が流れない場合に、前記第２接続部材ペアに含まれる接続部材を撤去対象であると判定する判定工程と、を含む、
接続部材が撤去対象であるか否かを判定する方法。
【請求項２】
前記第２の導体は、電流の導通を確認するテスターを含み、
前記判定する工程は、前記テスターが備える一対の検査端子の一方を前記第２接続部材ペアの一方に接触させ、他方の検査端子を前記第２接続部材ペアの他方に接触させて行われる、
請求項１に記載の接続部材が撤去対象であるか否かを判定する方法。
【請求項３】
前記接続部材は複数の連結管を連結して形成された冷媒管を含み、
前記判定する工程は、前記冷媒管の各々の前記連結管について、前記室内機側から前記室外機側へ向けて段階的に実施される、
請求項１または２に記載の接続部材が撤去対象であるか否かを判定する方法。
【請求項４】
前記撤去対象であると判定された前記接続部材に撤去対象であることを示す表示を付する表示工程をさらに含む、
請求項１から３のいずれか一項に記載の接続部材が撤去対象であるか否かを判定する方法。
【請求項５】
室外機と室内機との間を金属で形成された複数経路の接続部材によって接続される空調システムの撤去作業において、前記室外機と前記室内機とから切り離された前記接続部材の撤去方法であって、
前記接続部材の前記室外機が接続されていた側において前記接続部材から選択された一対の第１接続部材ペアを第１の導体で接続し、前記接続部材の前記室内機が接続されていた側において前記接続部材から選択された一対の第２接続部材ペアを第２の導体で接続した状態で、前記第２接続部材ペアに含まれる接続部材間に電流が流れるか否かを確認する第１の確認工程と、
前記第１接続部材ペアのうち少なくとも一方から前記第１の導体を外し、前記第２接続部材ペアを前記第２の導体で接続した状態で、前記第２接続部材ペアに含まれる接続部材間に電流が流れるか否かを確認する第２の確認工程と、
前記第１の確認工程において電流が流れ、かつ、前記第２の確認工程において電流が流れない場合に、前記第２接続部材ペアに含まれる接続部材を撤去対象であると判定する判定工程と、
前記撤去対象と判定された接続部材を撤去する撤去工程と、を含む、
接続部材の撤去方法。
【発明の詳細な説明】
【技術分野】
【０００１】
本発明は、接続部材が撤去対象であるか否かを判定する方法および接続部材の撤去方法に関する。
【背景技術】
【０００２】
室外機と室内機とを含む空気調和機が様々な建物で利用されている。室外機は建物の外部に設置され、室内機は空気調和の対象となる室内に設置される（例えば、特許文献１参照）。
【先行技術文献】
【特許文献】
【０００３】
【特許文献１】特許第４４３７３９０号公報
【発明の概要】
【発明が解決しようとする課題】
【０００４】
室外機と室内機とは冷媒管や配線によって例示される接続部材によって接続され、接続部材によって室外機と室内機との間における冷媒の循環や制御信号の送受信が実現される。接続部材は金属で形成されており、配線を敷設するために設けられたシャフト内や天井裏を介して室外機と室内機とを接続する。接続部材は、例えば、建物の改修工事等の場合に、室外機および室内機とともに撤去されることがある。室外機および室内機近辺の接続部材は目視によって撤去対象であるか否かが容易に確認できるが、シャフト内や天井裏では、接続部材が撤去対象であるか否かを判定する事は難しい。
【０００５】
そこで、開示の技術の１つの側面は、接続部材が撤去対象であるか否かを容易に判定できる方法を提供することを課題とする。
【課題を解決するための手段】
【０００６】
１つの側面では、本発明は、次のような接続部材が撤去対象であるか否かを判定する方法によって例示される。本方法は、室外機と室内機との間が金属で形成された複数経路の接続部材によって接続される空調システムの撤去作業において、室外機と室内機とから切り離された接続部材が撤去対象であるか否かを判定する方法によって例示される。本方法は、第１の確認工程、第２の確認工程および判定工程を含む。第１の確認工程は、接続部材の室外機が接続されていた側において接続部材から選択された一対の第１接続部材ペアを第１の導体で接続し、接続部材の室内機が接続されていた側において接続部材から選択された一対の第２接続部材ペアを第２の導体で接続した状態で、第２接続部材ペア間に電流が流れるか否かを確認する。第２の確認工程は、第１接続部材ペアのうち少なくとも一方から第１の導体を外し、第２接続部材ペアを第２の導体で接続した状態で、第２接続部材ペア間に電流が流れるか否かを確認する。判定工程は、第１の確認工程において電流が流れ、かつ、第２の確認工程において電流が流れない場合に、第２接続部材ペアに含まれる接続部材を撤去対象であると判定する。
【０００７】
このような発明によれば、第１接続部材ペアと第２接続部材ペアとが同一の系統である場合、第１の確認工程では第１接続部材ペアと第２接続部材ペアとで閉回路が形成される。また、第２の確認工程では第１接続部材ペアのうち少なくとも一方から第１の導体を外すことで、第１接続部材ペアと第２接続部材ペアとで開回路が形成される。そのため、第１の確認工程において第２接続部材ペア間に電流が流れ、かつ、第２の確認工程において
第２接続部材ペア間に電流が流れないことで、第１接続部材ペアと第２接続部材ペアとが同一の系統であると判定できる。
【０００８】
さらに、本発明は次の特徴を有してもよい。第２の導体の一方は、電流の導通を確認するテスターを含み、判定する工程は、テスターが備える一対の検査端子の一方を第２接続部材ペアの一方に接触させ、他方の検査端子を第２接続部材ペアの他方に接触させて行われる。このような発明によれば、テスターを用いることで、第２接続部相ペア間に電流が流れたか否かを容易に判定することができる。
【０００９】
さらに、本発明は次の特徴を有してもよい。接続部材は複数の連結管を連結して形成された冷媒管を含み、判定する工程は、冷媒管の各々の連結管について、室内機側から室外機側へ向けて段階的に実施される。このような発明によれば、室外機と接続されていたことで容易に撤去対象と確認できる室外機側の冷媒管を基準として、室内機側の冷媒管が撤去対象であるか否かを判定できる。
【００１０】
さらに、本発明は次の特徴を有してもよい。撤去対象であると判定された接続部材に撤去対象であることを示す表示を付する工程をさらに含む。このような発明によれば、撤去対象と判定された接続部材がどの接続部材であるか容易に特定できる。そのため、例えば、撤去対象の接続部材の特定を行った後、他の業者に接続部材の撤去を依頼する場合に、当該他の業者に撤去対象の接続部材を伝えることが容易になる。
【００１１】
さらに、本発明は上記した方法によって撤去対象と判定した接続部材を撤去する接続部材の撤去方法として把握する事も可能である。
【発明の効果】
【００１２】
本発明に係る接続部材が撤去対象であるか否かを判定する方法および接続部材の撤去方法は、撤去対象である接続部材か否かを容易に判定することができる。
【図面の簡単な説明】
【００１３】
【図１Ａ】図１Ａは、建物に設置された空調システムの一例を示す概略図である。
【図１Ｂ】図１Ｂは、冷媒管の一例を示す図である。
【図２】図２は、実施形態に係る室外機、室内機および冷媒管を撤去する手順の一例を示す図である。
【図３Ａ】図３Ａは、冷媒管が撤去対象の系統であるか否かを判定する手順の一例を示す第１の図である。
【図３Ｂ】図３Ｂは、冷媒管が撤去対象の系統であるか否かを判定する手順の一例を示す第２の図である。
【図４】図４は、冷媒管が撤去対象であるか否かを確認する際の作業員の配置の一例を示す図である。
【図５】図５は、テスターの一例を示す図である。
【図６】図６は、テスターのテストリードを液管およびガス管に接触させた様子の一例を示す図である。
【図７】図７は、導線によって接続した液管およびガス管と、テスターのテストリードを接触させた液管およびガス管とが同一系統である状態の一例を示す図である。
【図８】図８は、導線によって接続した液管およびガス管と、テスターのテストリードを接触させた液管およびガス管とが異なる系統である状態の一例を示す図である。
【発明を実施するための形態】
【００１４】
以下、図面を参照して、一実施形態に係る冷媒管が撤去対象であるか否かを判定する方法について説明する。以下に示す実施形態の構成は例示であり、開示の技術は実施形態の
構成に限定されない。
【００１５】
＜実施形態＞
図１Ａは、建物１に設置された空調システム１００の一例を示す概略図である。建物１には、部屋２ａ、２ｂが設けられている。空調システム１００は、室外機１０ａ、１０ｂと室内機２０ａ、２０ｂ、２０ｃ、２０ｄと冷媒管３０ａ、３０ｂと内外渡り配線４０ａ、４０ｂとを備える。室外機１０ａと室内機２０ａ、２０ｂとは冷媒管３０ａおよび内外渡り配線４０ａによって接続され、室外機１０ｂと室内機２０ｃ、２０ｄとは冷媒管３０ｂおよび内外渡り配線４０ｂによって接続される。冷媒管３０ａ、３０ｂは、室外機１０ａ、１０ｂによって冷却された冷媒を室内機２０ａ、２０ｂ、２０ｃ、２０ｄへ送る液管３１ａ、３１ｂと、室内機２０ａ、２０ｂ、２０ｃ、２０ｄによって部屋２ａ、２ｂ内の空気から受熱した冷媒を室外機１０ａ、１０ｂへ送るガス管３２ａ、３２ｂとを含む。以下、本明細書において、室外機１０ａ、１０ｂを総称して室外機１０と称し、室内機２０ａ、２０ｂ、２０ｃ、２０ｄを総称して室内機２０と称し、冷媒管３０ａ、３０ｂを総称して冷媒管３０と称する。さらに、液管３１ａ、３１ｂを総称して液管３１と称し、ガス管３２ａ、３２ｂを総称してガス管３２と称し、内外渡り配線４０ａ、４０ｂを総称して内外渡り配線４０と称する。なお、以下の説明では室内機２０は冷房機として説明するが、室内機２０は暖房機であってもよい。液管３１とガス管３２とを含む冷媒管３０および内外渡り配線４０は、「接続部材」の一例である。室外機１０と室内機２０とは、液管３１、ガス管３２および内外渡り配線４０によって例示される複数経路の接続部材によって接続されているということができる。
【００１６】
図１Ｂは、冷媒管３０の構造の一例を示す図である。冷媒管３０は、室外機１０と室内機２０との間に冷媒５０を循環させる管である。冷媒管３０は、室外機１０と室内機２０との距離に応じて、複数の連結管３４を連結して形成される。冷媒管３０は、分岐管３３を含み、分岐管３３によって複数の経路に分岐される。冷媒管３０の材質は、冷媒５０を安定的に循環させ得る強度を有する物が好ましく、例えば、銅等の金属が採用される。冷媒管３０の表面は、冷媒５０への外気の影響を抑制するため、断熱性のカバーによって覆われる。冷媒管３０は、建物１内の天井裏や建物１内に配管や配線等を敷設するために設けられたシャフト内を経由して室外機１０と室内機２０とを接続する。
【００１７】
冷媒５０は、室内機２０と室外機１０との間を循環して熱を輸送する媒体である。冷媒５０は、室内機２０における部屋２内の空気との熱交換によって受熱する。受熱した冷媒５０は室外機１０に送られる。室外機１０に送られた冷媒５０は室外機によって冷却され、冷却された冷媒５０は室内機２０へ送られる。冷媒５０による熱の輸送は顕熱による輸送よりも潜熱による輸送の方が効率が良い。そこで、冷媒５０としては、室内機２０での受熱および室外機１０による冷却によって相転移する物質が好ましい。換言すれば、冷媒５０は、室内機２０での受熱によって気化し、室外機１０による冷却で液化する物質が好ましい。冷媒５０は、例えば、代替フロンである。
【００１８】
液管３１は、上述の通り、室外機１０から室内機２０へ冷媒５０を供給する管である。ガス管３２は、上述の通り、室内機２０から室外機１０へ冷媒５０を供給する管である。冷媒５０として上述の代替フロンが採用された場合、液化した冷媒５０が室外機１０から室内機２０へ液管３１を介して送られ、気化した冷媒５０が室内機２０から室外機１０へガス管３２を介して送られる。
【００１９】
図１Ａに戻り、室内機２０は、例えば、空気調和の対象となる部屋２の天井に設置される。図１Ａを参照すると、室内機２０ａ、２０ｂは部屋２ａに設置され、室内機２０ｃ、２０ｄは部屋２ｂに設置される。室内機２０は、室外機１０から液管３１を介して供給された冷媒５０と部屋２内の空気との熱交換によって部屋２の空気調和を行う。熱交換によ
って受熱した冷媒５０は、ガス管３２を介して室内機２０から室外機１０へ送られる。
【００２０】
室外機１０は、例えば、建物１の屋上に設置される。室外機１０は、ガス管３２を介して室内機２０から送られた冷媒５０を室外機１０内に設けられた熱交換器によって外気と熱交換することで冷却する。室外機１０は、冷却した冷媒５０を液管３１を介して室内機２０へ送る。
【００２１】
内外渡り配線４０は、室外機１０と室内機２０とを電気的に接続する。室内機２０は、内外渡り配線４０を介して指示を送信することで、室外機１０の回転数を制御できる。内外渡り配線４０は、例えば、上記した断熱性のカバーによって冷媒管３０と共巻きされる。
【００２２】
以下、本明細書において、室外機１０および当該室外機１０と接続された冷媒管３０、内外渡り配線４０および室内機２０を当該室外機１０の系統と称する。例えば、図１Ａを参照すると、室外機１０ａの系統として室外機１０ａ、冷媒管３０ａ、内外渡り配線４０ａおよび室内機２０ａ、２０ｂを挙げることができる。また、室外機１０ｂの系統として室外機１０ｂ、冷媒管３０ｂ、内外渡り配線４０ｂおよび室内機２０ｃ、２０ｄを挙げることができる。
【００２３】
図２は、実施形態に係る室外機１０、室内機２０および冷媒管３０を撤去する手順の一例を示す図である。実施形態では、室外機１０ａの系統が撤去対象であると仮定して説明する。
【００２４】
ＯＰ１では、撤去対象の室外機１０ａの系統の冷媒管３０ａの配置を建物１の図面等によって確認する。図面が無い場合や図面と実際の配置に齟齬がある場合、空調システム１００を設置したメーカーに問い合わせる等の手段で確認する。
【００２５】
ＯＰ２では、室外機１０ａの系統に接続された冷媒管３０ａから冷媒５０が回収される。冷媒５０の回収は、例えば、冷媒回収を専門とする業者によって行われる。
【００２６】
ＯＰ３では、室外機１０ａおよび室内機２０ａ、２０ｂを冷媒管３０ａおよび内外渡り配線４０から外し、室外機１０ａおよび室内機２０ａ、２０ｂを撤去する。
【００２７】
ＯＰ４では、撤去しようとする冷媒管３０が撤去対象である冷媒管３０ａであるか否かを確認する。冷媒管３０は、上述のように、複数の連結管３４が連結されており、また、建物１の天井裏やシャフト内等を経由して配置されている。さらに、建物１には、撤去対象ではない冷媒管３０ｂも敷設されている。そのため、例えば、天井裏やシャフト内等に配置されている連結管３４を撤去する場合、撤去対象である冷媒管３０ａの連結管３４であるか否かが判別しにくい場合もあり得る。そこで、ＯＰ４では、実際に冷媒管３０の撤去を行う前に、当該冷媒管３０が撤去対象である冷媒管３０ａであるか否かの判定を実施する。
【００２８】
図３Ａおよび図３Ｂは、冷媒管３０が撤去対象の系統であるか否かを判定する手順の一例を示す図である。図３Ａおよび図３Ｂは、図２のＯＰ４の手順をより詳細に示す図となっている。また、図４は、冷媒管３０が撤去対象であるか否かを判定する際の作業員４００ａ、４００ｂの配置の一例を示す図である。以下、図３Ａ、図３Ｂおよび図４を参照して、冷媒管３０が撤去対象である冷媒管３０ａであるか否かを判定する手順について説明する。
【００２９】
ＯＰ２１では、作業員４００ａ（図中では、作業員１と記載）は、撤去した室外機１０
ａに接続されていた冷媒管３０ａの近くに移動する。ＯＰ２２では、作業員４００ｂ（図中では、作業員２と記載）は、建物１に配置された冷媒管３０のうち、撤去対象と思われる冷媒管３０の室内機２０側に移動する。
【００３０】
ＯＰ２３では、作業員４００ａは、撤去した室外機１０ａに接続されていた液管３１ａとガス管３２ａとを導線で接続する。ＯＰ２３で導線によって接続された液管３１ａおよびガス管３２ａは、「第１接続部材ペア」の一例である。ＯＰ２４では、作業員４００ｂは、電流の導通を確認するテスターを用意する。図５は、テスター３００の一例を示す図である。テスター３００は、本体部３０１および一対のテストリード３０４を備える。本体部３０１は、表示部３０２および設定ダイヤル３０３を備える。テスター３００は、一対のテストリード３０４を回路に接触させることで、回路に流れる電流の測定、回路にかかる電圧の測定、回路の導通確認等の様々な機能を有し、設定ダイヤル３０３によってこれらの機能を切り替えることができる。テスター３００による試験結果は、表示部３０２に表示される。本実施形態は、テスター３００の導通確認の機能を利用する。導線は、「第１の導体」または「第２の導体」の一例である。
【００３１】
ＯＰ２４では、作業員４００ｂは、撤去対象と思われる液管３１とガス管３２のカバーの一部を破る。作業員４００ｂは、導通確認モードに設定したテスター３００のテストリード３０４の一方を液管３１のカバーを破った箇所から液管３１に接触させ、他方をガス管３２のカバーを破った箇所からガス管３２に接触させる。図６は、テスター３００のテストリード３０４を液管３１およびガス管３２に接触させた様子の一例を示す図である。図６を参照すると、液管３１およびガス管３２のカバーの一部が破られ、当該破られた箇所からテストリード３０４が各々差し込まれていることがわかる。ＯＰ２３およびＯＰ２４の作業は、例えば、作業員４００ａと作業員４００ｂとが携帯電話等で連絡を取り合って実施のタイミングを計る。テスター３００は、「第１の導体」または「第２の導体」の一例である。テストリード３０４は、「検査端子」の一例である。ＯＰ２４の作業は、「第１の確認工程」の一例である。ＯＰ２４でテストリード３０４を接触させた液管３１およびガス管３２は、「第２接続部材ペア」の一例である。
【００３２】
図７は、導線によって接続した液管３１およびガス管３２と、テスター３００のテストリード３０４を接触させた液管３１およびガス管３２とが同一系統である状態の一例を示す図である。図７では、図の簡略化のため、内外渡り配線４０および他の系統の冷媒管３０の図示が省略されている。この場合、液管３１ａ、ガス管３２ａ、作業員４００ａによる導線および作業員４００ｂによるテスター３００のテストリード３０４によって閉回路が形成される。そのため、テスター３００がテストリード３０４間に電圧を加えると、当該閉回路を流れる電流が検知され、当該閉回路内の電流の導通が確認される。すなわち、テスター３００は、テストリード３０４が接触している液管３１とガス管３２との間を流れる電流を検知する。また、作業員４００ａが液管３１およびガス管３２の少なくとも一方から導線を外すと、作業員４００ａによる導線および作業員４００ｂによるテスター３００のテストリード３０４によって開回路が形成される。そのため、テスター３００がテストリード３０４間に電圧を加えても、テスター３００は電流を検知しなくなる。
【００３３】
一方、図８は、導線によって接続した液管３１およびガス管３２と、テスター３００のテストリード３０４を接触させた液管３１およびガス管３２とが異なる系統である状態の一例を示す図である。図８では、図の簡略化のため、内外渡り配線４０の図示は省略されている。図８では、導線によって液管３１ａとガス管３２ａとが接続され、テスター３００のテストリード３０４によって液管３１ｂとガス管３２ｂとが接続されている。この場合、液管３１ｂとガス管３２ｂとは室外機１０ｂ内部の銅管１０ｍによって電気的に接続される。そのため、作業員４００ａの導線による液管３１ａとガス管３２ａとの接続の有無とは無関係に、テスター３００は継続して電流を検知する。図７と図８とを比較すると
理解できるように、作業員４００ａが導線で液管３１およびガス管３２を接続したタイミングで作業員４００ｂのテスター３００が電流を検知し、作業員４００ａが液管３１およびガス管３２から導線を外したタイミングで作業員４００ｂのテスター３００が電流を検知しなくなることで、作業員４００ｂが撤去対象と判断した冷媒管３０が作業員４００ａが導線を接続した冷媒管３０と同一系統であるか否かが判定できる。作業員４００ｂは、作業員４００ａが導線を接続したり外したりするタイミングを、例えば、携帯電話によって例示される通信手段によって作業員４００ａと連絡を取ることで、把握可能である。
【００３４】
図３Ａに戻り、テスター３００によって導通が確認されなかった場合（ＯＰ２５でＮＯ）、作業はＯＰ２９に進められる。テスター３００によって導通が確認された場合（ＯＰ２５でＹＥＳ）、作業はＯＰ２６に進められる。ＯＰ２６では、作業員４００ａは、導線を液管３１およびガス管３２から外す。作業員４００ｂは、導線が液管３１およびガス管３２から外された状態で、テスター３００によって導通を確認する。ＯＰ２６の作業は、「第２の確認工程」の一例である。
【００３５】
テスター３００によって導通が確認されなかった場合（ＯＰ２７でＮＯ）、作業員４００ｂは、テスター３００のテストリード３０４を接触させた液管３１およびガス管３２が撤去対象であると判断できる。そのため、ＯＰ２８では、作業員４００ｂは、撤去対象であることを示すタグを当該冷媒管３０に付する。その後、作業はＯＰ２２に戻り、作業員４００ｂは、撤去対象と思われるより室外機１０ａ側の冷媒管３０の前に移動する。ＯＰ２８の作業は、「表示工程」の一例である。ＯＰ２５でＹＥＳに分岐し、ＯＰ２７でＮＯに分岐する作業は、「判定工程」の一例である。
【００３６】
テスター３００によって導通が確認された場合（ＯＰ２７でＹＥＳ）、作業員４００ｂがテスター３００のテストリード３０４を接触させた冷媒管３０は撤去対象ではないと判断できる（ＯＰ２９）。そのため、作業員４００ｂは、撤去対象と思われる他の冷媒管３０の前に移動し、当該冷媒管３０に対し、ＯＰ２４以降の確認手順を実行する（ＯＰ２９からＯＰ２４）。
【００３７】
図２のＯＰ５に戻り、作業員４００ａおよび４００ｂは、図３ＢのＯＰ２８でタグが付された冷媒管３０の撤去を行う。ＯＰ５の作業は、「撤去工程」の一例である。
【００３８】
実施形態では、テスター３００を用いた導通確認によって冷媒管３０が撤去対象の系統のものであるか否かが確認された。導通確認によって、例えば、天井裏やシャフト内に配置された連結管３４に対しても容易に系統の確認を行うことができる。そのため、実施形態によれば、冷媒管３０の撤去作業において、撤去作業の対象となる冷媒管３０であるか否かの判定が容易になる。
【００３９】
実施形態では、室外機１０ａ側の作業員４００ａは移動せず、室内機２０ａ側に配置した作業員４００ｂが冷媒管３０の連結管３４の撤去に伴って室外機１０ａ側へと段階的に移動した。そのため、実施形態によれば、室外機１０ａと接続されていたことで容易に撤去対象と確認できる作業員４００ａ側の冷媒管３０ａを基準として、室内機２０ａ側の冷媒管３０が撤去対象であるか否かを判定できる。
【００４０】
実施形態では、冷媒管３０が撤去対象の系統のものであるか否かの判定に導線とテスター３００を使用した。導線とテスター３００のいずれも小型で容易に持ち運び可能である。また、導線とテスター３００は、作業員が作業現場に持ち込む荷物に含まれることが多いと思われる。そのため、実施形態によれば、作業員は追加の荷物を持ち運ばずに冷媒管３０が撤去対象か否かを判定できる。
【００４１】
実施形態では、テスター３００の導通確認機能を利用して冷媒管３０が撤去対象の系統のものであるか否かを判定した。しかしながら、冷媒管３０が撤去対象の系統のものであるか否かは、テスター３００を用いる方法に限定されない。冷媒管３０が撤去対象であるか否かを確認する作業には、電流の導通を確認できる手段であれば、どのような手段でも採用可能である。
【００４２】
実施形態では、テスター３００を用いた導通確認によって冷媒管３０が撤去対象の系統のものであるか否かが判定された。しかしながら、撤去対象の系統であるか否かが判定されるのは冷媒管３０に限定されない。例えば、液管３１および内外渡り配線４０に対して、図３Ａおよび図３Ｂを基に説明した方法を適用することで、液管３１および内外渡り配線４０が撤去対象であるか否かを判定することもできる。この場合、液管３１および内外渡り配線４０の室外機に接続されていた側は、「第１接続部材ペア」の一例であり、液管３１および内外渡り配線４０の室内機に接続されていた側は、「第２接続部材ペア」の一例である。また、例えば、ガス管３２および内外渡り配線４０に対して、図３Ａおよび図３Ｂを基に説明した方法を適用することで、ガス管３２および内外渡り配線４０が撤去対象であるか否かを判定することもできる。この場合、ガス管３２および内外渡り配線４０の室外機に接続されていた側は、「第１接続部材ペア」の一例であり、ガス管３２および内外渡り配線４０の室内機に接続されていた側は、「第２接続部材ペア」の一例である。
【００４３】
実施形態では、２名の作業員によって冷媒管３０が撤去対象であるか否かの判定作業が実施されたが、当該作業を実施する作業員の人数に限定は無い。冷媒管３０が撤去対象であるか否かの確認作業は、例えば、１名の作業員によって実施されてもよい。１名の作業員で実施する場合、例えば、室外機１０ａ側の液管３１とガス管３２とを導線で接続した後、作業員は室内機２０ａ側の液管３１とガス管３２の近くに移動し、テスター３００のテストリード３０４を液管３１とガス管３２とに接触させればよい。また、３名以上の作業員によって冷媒管３０が撤去対象であるか否かの確認作業が実施されてもよい。
【００４４】
実施形態では、撤去対象の系統のものであると確認された冷媒管３０ａの撤去を行ったが、冷媒管３０ａの撤去は別の業者が担当してもよい。この場合、撤去対象であると確認された冷媒管３０ａに撤去対象であることを示すタグを付しておき、撤去作業を担当する業者に作業を引き継げばよい。
【００４５】
以上で開示した実施形態や変形例はそれぞれ組み合わせることができる。
【符号の説明】
【００４６】
１００・・・空調システム
１・・・建物
２、２ａ、２ｂ・・・部屋
１０、１０ａ、１０ｂ・・・室外機
２０、２０ａ、２０ｂ、２０ｃ、２０ｄ・・・室内機
３０、３０ａ、３０ｂ・・・冷媒管
３１、３１ａ、３１ｂ・・・液管
３２、３２ａ、３２ｂ・・・ガス管
３３・・・分岐管
３４・・・連結管
４０・・・内外渡り配線
５０・・・冷媒
３００・・・テスター
３０１・・・本体部
３０２・・・表示部
３０３・・・設定ダイヤル
３０４・・・テストリード
４００ａ、４００ｂ・・・作業員
【図１Ａ】
2018159502.tif 000003
【図１Ｂ】
2018159502.tif 000004
【図２】
2018159502.tif 000005
【図３Ａ】
2018159502.tif 000006
【図３Ｂ】
2018159502.tif 000007
【図４】
2018159502.tif 000008
【図５】
2018159502.tif 000009
【図６】
2018159502.tif 000010
【図７】
2018159502.tif 000011
【図８】
2018159502.tif 000012